(57)【特許請求の範囲】
【請求項１】
室温を検出する検出部と、
床材を加温する加温部であって、定常運転モードと、前記定常運転モードよりも前記床材を加温する加温熱量が多い第一運転モードと、前記定常運転モードよりも前記床材を加温する加温熱量が少ない第二運転モードと、を有する加温部と、
前記第一運転モードにて前記加温部の運転を開始させ、前記検出部が検出した室温における前記加温部の運転開始から予め定められた基準時間経過した時の温度上昇幅が、予め定められた基準上昇幅以上である場合に、前記第一運転モードから前記第二運転モードへ移行させる制御を前記加温部に対して行う制御部と、
を備える床暖房装置。
【請求項２】
前記制御部は、
前記温度上昇幅が前記基準上昇幅未満である場合に、前記基準時間としての第一基準時間の経過時点から予め定められた第二基準時間経過した後に、前記検出部が設定温度以上の室温を検出した場合に、前記第一運転モードから前記第二運転モードへ移行させる制御を前記加温部に対して行う
請求項１に記載の床暖房装置。
【請求項３】
前記制御部は、
前記第一基準時間の経過時点から前記第二基準時間経過した後に、前記検出部が設定温度未満の室温を検出した場合に、前記第二基準時間の経過時点から前記第二基準時間が経過する毎に、前記検出部が前記設定温度以上の室温を検出するか判定し、前記検出部が設定温度以上の室温を検出した場合に、前記第一運転モードから前記第二運転モードへ移行させる制御を前記加温部に対して行う
請求項２に記載の床暖房装置。
【請求項４】
前記加温部は、
前記床材を加温する加温熱量を、前記定常運転モードにおける加温熱量から段階的に低下可能とされており、
前記制御部は、
運転開始の前記第一運転モードから前記第二運転モードへ移行させた後、前記定常運転モードに移行させ、前記検出部が、前記設定温度を超える室温を検出した後、予め定められた基準期間において予め定められた基準回数、前記設定温度を超える室温を検出した場合に、前記加温熱量を前記定常運転モードにおける加温熱量から低下させる制御を前記加温部に対して行う
請求項３に記載の床暖房装置。
【請求項５】
前記制御部は、
前記加温熱量を前記定常運転モードにおける加温熱量から低下させた後、前記検出部が、前記設定温度未満の室温を検出した後、予め定められた基準期間において予め定められた基準回数、前記設定温度未満の室温を検出した場合に、前記加温熱量を元に戻す制御を前記加温部に対して行う
請求項４に記載の床暖房装置。
【請求項６】
前記制御部は、
運転開始の前記第一運転モードから前記第二運転モードへ移行させた後、前記検出部が検出した室温における単位期間あたりの温度低下が予め定められた基準低下幅を超える場合に、前記第一運転モードへ移行させる制御を前記加温部に対して行う
請求項１〜５のいずれか１項に記載の床暖房装置。
【請求項７】
前記制御部は、
前記第一運転モードへ移行させた後、前記検出部が検出した室温における前記第一運転モードへの移行から予め定められた基準時間経過した時の温度上昇幅が、予め定められた基準上昇幅以上である場合に、前記第一運転モードから前記第二運転モードへ移行させる制御を前記加温部に対して行う
請求項６に記載の床暖房装置。
【発明の詳細な説明】
【技術分野】
【０００１】
本発明は、床暖房装置に関するものである。
【背景技術】
【０００２】
特許文献１には、運転開始直後の室内温度の上昇率によって、温水暖房システムの単独運転か、温水暖房システムと他の空気調和装置との併用運転かを判断し、併用運転と判断した場合に、温水暖房システムの水熱媒送水温度を所定時間維持する構成が開示されている。
【０００３】
特許文献２には、床暖房運転の開始から所定時間（例えば３０分間）経過した後に、室温センサによって検出された室温の単位時間当たりの上昇速度と、基準上昇速度とを比較し、算出した室温上昇が基準上昇速度よりも大であった場合には、他の暖房装置が使用されている可能性があるとして、床温優先運転モードによる運転を行う構成が開示されている。本構成では、床温優先運転モードにおいて、所定時間（例えば３０分間）又は床温が目標温度になるまでホットダッシュ運転を行う。
【先行技術文献】
【特許文献】
【０００４】
【特許文献１】特開２０１７−０６７４１７号公報
【特許文献２】特開２００２−７１１４７号公報
【発明の概要】
【発明が解決しようとする課題】
【０００５】
特許文献１及び特許文献２の構成では、床暖房装置と、空調装置等の他の暖房装置と、が併用して運転されている場合に、床暖房装置のホットダッシュ運転を継続するため、室温が床暖房装置の設定温度を超えて上昇するおそれがある。
【０００６】
本発明は、上記事実を考慮し、床暖房装置と他の暖房装置とが併用して運転されている場合であっても、室温が床暖房装置の設定温度を超えて上昇することを抑制することを目的とする。
【課題を解決するための手段】
【０００７】
第１態様に係る床暖房装置は、室温を検出する検出部と、床材を加温する加温部であって、定常運転モードと、前記定常運転モードよりも前記床材を加温する加温熱量が多い第一運転モードと、前記定常運転モードよりも前記床材を加温する加温熱量が少ない第二運転モードと、を有する加温部と、前記第一運転モードにて前記加温部の運転を開始させ、前記検出部が検出した室温における前記加温部の運転開始から予め定められた基準時間経過した時の温度上昇幅が、予め定められた基準上昇幅以上である場合に、前記第一運転モードから前記第二運転モードへ移行させる制御を前記加温部に対して行う制御部と、を備える。
【０００８】
このように、第１態様の構成では、制御部は、第一運転モードにて加温部の運転を開始させ、検出部が検出した室温における加温部の運転開始から基準時間経過した時の温度上昇幅が、基準上昇幅以上である場合に、第一運転モードから第二運転モードへ移行させる制御を加温部に対して行う。
【０００９】
このため、当該温度上昇幅が基準上昇幅以上である場合において、第一運転モードを継続する構成に比べ、床暖房装置と他の暖房装置とが併用して運転されている場合であっても、室温が床暖房装置の設定温度を超えて上昇することが抑制される。
【００１０】
第２態様に係る床暖房装置では、前記制御部は、前記温度上昇幅が前記基準上昇幅未満である場合に、前記基準時間としての第一基準時間の経過時点から予め定められた第二基準時間経過した後に、前記検出部が設定温度以上の室温を検出した場合に、前記第一運転モードから前記第二運転モードへ移行させる制御を前記加温部に対して行う。
【００１１】
このため、当該温度上昇幅が基準上昇幅未満である場合に、常に、第一運転モードを継続する構成に比べ、床暖房装置と他の暖房装置とが併用して運転されている場合であっても、室温が床暖房装置の設定温度を超えて上昇することが抑制される。
【００１２】
第３態様に係る床暖房装置では、前記制御部は、前記第一基準時間の経過時点から前記第二基準時間経過した後に、前記検出部が設定温度未満の室温を検出した場合に、前記第二基準時間の経過時点から前記第二基準時間が経過する毎に、前記検出部が前記設定温度以上の室温を検出するか判定し、前記検出部が設定温度以上の室温を検出した場合に、前記第一運転モードから前記第二運転モードへ移行させる制御を前記加温部に対して行う。
【００１３】
このため、第一基準時間の経過時点から第二基準時間経過した後に、検出部が設定温度未満の室温を検出した場合に、常に、第一運転モードを継続する構成に比べ、床暖房装置と他の暖房装置とが併用して運転されている場合であっても、室温が床暖房装置の設定温度を超えて上昇することが抑制される。
【００１４】
第４態様に係る床暖房装置では、前記加温部は、前記床材を加温する加温熱量を、前記定常運転モードにおける加温熱量から段階的に低下可能とされており、前記制御部は、運転開始の前記第一運転モードから前記第二運転モードへ移行させた後、前記定常運転モードに移行させ、前記検出部が、前記設定温度を超える室温を検出した後、予め定められた基準期間において予め定められた基準回数、前記設定温度を超える室温を検出した場合に、前記加温熱量を前記定常運転モードにおける加温熱量から低下させる制御を前記加温部に対して行う。
【００１５】
このため、検出部が、設定温度を超える室温を検出した後、基準期間において基準回数、設定温度を超える室温を検出した場合に、定常運転モードを継続する構成に比べ、床暖房装置と他の暖房装置とが併用して運転されている場合であっても、室温が床暖房装置の設定温度を超えて上昇することが抑制される。
【００１６】
第５態様に係る床暖房装置では、前記制御部は、前記加温熱量を前記定常運転モードにおける加温熱量から低下させた後、前記検出部が、前記設定温度未満の室温を検出した後、予め定められた基準期間において予め定められた基準回数、前記設定温度未満の室温を検出した場合に、前記加温熱量を元に戻す制御を前記加温部に対して行う。
【００１７】
このため、検出部が、設定温度未満の室温を検出した後、基準期間において基準回数、設定温度未満の室温を検出した場合に、加温熱量を低下させた状態を維持する構成に比べ、床暖房装置と併用運転されていた他の暖房装置の運転が停止された場合であっても、室温が床暖房装置の設定温度を下回って低下することが抑制される。
【００１８】
第６態様に係る床暖房装置では、前記制御部は、運転開始の前記第一運転モードから前記第二運転モードへ移行させた後、前記検出部が検出した室温における単位期間あたりの温度低下が予め定められた基準低下幅を超える場合に、前記第一運転モードへ移行させる制御を前記加温部に対して行う。
【００１９】
このため、検出部が検出した室温における単位期間あたりの温度低下が予め定められた基準低下幅を超える場合に、現状の運転モードを維持する構成に比べ、例えば、窓開け等による換気によって急激な温度低下が生じた場合であっても、室温が床暖房装置の設定温度を下回って低下することが抑制される。
【００２０】
第７態様に係る床暖房装置では、前記制御部は、前記第一運転モードへ移行させた後、前記検出部が検出した室温における前記第一運転モードへの移行から予め定められた基準時間経過した時の温度上昇幅が、予め定められた基準上昇幅以上である場合に、前記第一運転モードから前記第二運転モードへ移行させる制御を前記加温部に対して行う。
【００２１】
このため、当該温度上昇幅が基準上昇幅以上である場合において、第一運転モードを継続する構成に比べ、床暖房装置と他の暖房装置とが併用して運転されている場合であっても、室温が床暖房装置の設定温度を超えて上昇することが抑制される。
【発明の効果】
【００２２】
本発明は、上記構成としたので、床暖房装置と他の暖房装置とが併用して運転されている場合であっても、室温が床暖房装置の設定温度を超えて上昇することを抑制できるという優れた効果を有する。
【図面の簡単な説明】
【００２３】
【図１】本実施形態に係る床暖房装置の一例を示す概略図である。
【図２】本実施形態に係る床暖房装置の操作部と空調機との位置関係の一例を示す平面図である。
【図３】本実施形態に係る床暖房装置の制御装置の一例を示すブロック図である。
【図４】本実施形態に係る床暖房装置の制御装置におけるプロセッサの機能構成の一例を示すブロック図である。
【図５】本実施形態に係る制御装置によって実行される運転開始制御処理の流れの一例を示すフローチャートである。
【図６】本実施形態に係る制御装置によって実行される定常運転制御処理の流れの一例を示すフローチャートである。
【図７】本実施形態に係る制御装置によって実行される換気検知処理の流れの一例を示すフローチャートである。
【図８】変形例に係る定常運転制御処理の流れの一例を示すフローチャートである。
【発明を実施するための形態】
【００２４】
以下に、本発明に係る実施形態の一例を図面に基づき説明する。
【００２５】
（床暖房装置１０）
本実施形態に係る床暖房装置１０の構成を説明する。図１は、本実施形態に係る床暖房装置１０の一例を示す概略図である。
【００２６】
図１に示される床暖房装置１０は、床材１０２を加温すると共に、加温された床材１０２からの放射熱によって、室内１０４を暖房する装置である。本実施形態では、床暖房装置１０が設置された室内１０４に、空調機１００（他の暖房装置の一例）が設置されている。空調機１００は、例えば、室内１０４の側壁１０９に取り付けられている。
【００２７】
なお、空調機１００は、床面１０６からの高さＨ１が、例えば、２１００ｍｍ程度となる位置に設置される。また、空調機１００は、図２に示されるように、空調機１００の側方に配置された側壁１１０からの距離Ｌ１が、例えば、１３６０ｍｍ程度となる位置に設置される。室内１０４の床面１０６から天井１０８までの高さＨＡ（図１参照）は、例えば、２４００ｍｍである。また、室内１０４の広さは、例えば、６３７０ｍｍ（図２の符号Ｄ１参照）×３６４０ｍｍ（図２の符号Ｗ１参照）とされている。
【００２８】
床暖房装置１０は、具体的には、図１に示されるように、加温部２０と、操作部３０と、室温センサ４０と、制御装置６０と、を備えている。以下、床暖房装置１０の各部の構成について説明する。
【００２９】
（加温部２０）
図１に示される加温部２０は、床材１０２を加温する構成部分である。本実施形態では、加温部２０は、温水式の加温部であり、例えば、床パネル２２と、加熱機２４と、循環管２６と、を有している。
【００３０】
床パネル２２は、床材１０２の下方側に配置されており、床材１０２に対して伝熱可能に接触している。循環管２６は、床パネル２２と加熱機２４との間で、熱媒体としての温水を循環させる。加熱機２４は、循環管２６で循環する温水を加熱する。
【００３１】
加温部２０では、加熱機２４で加熱された温水が、循環管２６によって、床パネル２２と加熱機２４との間を循環することで、床材１０２を加温する。
【００３２】
加熱機２４は、循環管２６で循環する温水を加熱する温度（以下、加熱温度という）及び温水の流量を複数段階に変更可能とされている。そして、加温部２０では、温水の加熱温度及び流量を変更することで、床材１０２を加温する熱量(以下、加温熱量という）を複数段階に調整可能とされている。
【００３３】
加温部２０の加温熱量（すなわち、温水の加熱温度及び流量）は、操作部３０にて入力される設定温度に予め対応付けられている。例えば、設定温度ａ、ｂ、ｃ、ｄの各々に対して、加温熱量Ａ、Ｂ、Ｃ、Ｄの各々が対応付けられている。この場合、例えば、設定温度ａ、ｂ、ｃ、ｄは、この順で高くなる温度であり、加温熱量Ａ、Ｂ、Ｃ、Ｄは、この順で多くなる熱量である。
【００３４】
さらに、加温部２０は、複数の運転モードを有している。具体的には、加温部２０は、複数の運転モードとし、急熱運転モード、定常運転モード、及び控えめ運転モードを有している。
【００３５】
定常運転モードは、加温部２０の定常運転時に実行される運転モードである。定常運転モードでは、操作部３０にて入力された設定温度に対応付けられた加温熱量にて、加温部２０が床材１０２を加熱する。すなわち、定常運転モードは、設定温度を目標温度として、加温部２０の運転を行うモードである。
【００３６】
急熱運転モードは、定常運転モードよりも床材１０２を加温する加温熱量が多い運転モードであり、第一運転モードの一例である。急熱運転モードでは、操作部３０にて入力された設定温度に対応付けられた加温熱量よりも高い加温熱量にて、床材１０２を加温する。この結果、急熱運転モードでは、定常運転モードよりも高い温度に床材１０２が加温される。
【００３７】
控えめ運転モードは、定常運転モードよりも床材１０２を加温する加温熱量が少ない運転モードであり、第二運転モードの一例である。控えめ運転モードでは、操作部３０にて入力された設定温度に対応付けられた加温熱量よりも低い加温熱量にて、床材１０２を加温する。この結果、控えめ運転モードでは、定常運転モードよりも低い温度に床材１０２が加温される。
【００３８】
このように、急熱運転モード、定常運転モード、及び控えめ運転モードは、操作部３０にて入力された設定温度を基準にした運転モードである。さらに、加温部２０は、操作部３０にて入力された設定温度に関わらず、床材を加温する加温熱量を、定常運転モードにおける加温熱量から段階的に低下可能とされている。
【００３９】
（操作部３０）
図１に示される操作部３０は、床暖房装置１０の使用者（以下、ユーザという）が各種の操作を行う構成部分である。ユーザによる操作としては、例えば、床暖房装置１０のオンオフ操作、及び室温の設定操作などがある。
【００４０】
ユーザによる床暖房装置１０のオンオフ操作によって、床暖房装置１０の稼働、及び稼働の停止が決定される。すなわち、ユーザは、操作部３０を通じて、床暖房装置１０を稼働させる稼働指示、及び床暖房装置１０の稼働を停止させる停止指示を入力可能となっている。
【００４１】
また、ユーザによる室温の設定操作によって、ユーザが所望する室温が設定される。すなわち、ユーザは、操作部３０を通じて、所望の室温として、設定温度を入力可能となっている。
【００４２】
操作部３０は、ユーザによって入力された指示（前述の稼働指示等）及び情報（設定温度の情報等）を制御装置６０へ送信する。
【００４３】
本実施形態では、操作部３０は、例えば、リモートコントローラーで構成される。この操作部３０は、例えば、室内１０４の側壁１０９に設置される。また、操作部３０は、床面１０６からの高さＨ２が、例えば１１００ｍｍ程度となる位置に設置される。さらに、操作部３０は、図２に示されるように、空調機１００の側方に配置された側壁１１０からの距離Ｌ２が、例えば、４０００ｍｍ程度となる位置に設置される。
【００４４】
（室温センサ４０）
図１に示される室温センサ４０は、検出部の一例であり、室内１０４の室温を検出するセンサである。室温センサ４０は、例えば、操作部３０に設けられている。したがって、室温センサ４０は、床面１０６からの高さが、例えば、１１００ｍｍ程度となる高さに設置される。
【００４５】
室温センサ４０は、例えば、予め定められた所定の間隔で室内１０４の室温を検出し、検出した室温の情報を制御装置６０へ送る。
【００４６】
（制御装置６０）
制御装置６０は、制御部の一例であり、加温部２０の動作を制御する装置である。具体的には、制御装置６０は、図３に示されるように、プロセッサ６１と、メモリ６２と、ストレージ６３と、タイマー６４と、カウンタ６６と、を有している。
【００４７】
プロセッサ６１としては、例えば、汎用的なプロセッサであるＣＰＵ（Ｃｅｎｔｒａｌ  Ｐｒｏｃｅｓｓｉｎｇ  Ｕｎｉｔ）が用いられる。なお、プロセッサの一例としては、特定の処理を実行させるために専用に設計された回路で構成された専用のプロセッサであってもよい。
【００４８】
ストレージ６３は、制御プログラム６３Ａ（図４参照）を含む各種プログラムと、各種データと、を格納する。ストレージ６３は、具体的には、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）及びフラッシュメモリ等の記録装置により実現される。
【００４９】
メモリ６２は、プロセッサ６１が各種プログラムを実行するための作業領域であり、プロセッサ６１が処理を実行する際に一時的に各種プログラム又は各種データを記録する。プロセッサ６１は、ストレージ６３から制御プログラム６３Ａを含む各種プログラムをメモリ６２に読み出し、メモリ６２を作業領域としてプログラムを実行する。
【００５０】
タイマー６４は、後述の基準時間などを計測するための計測部である。カウンタ６６は、後述の基準回数などを計測するための計測部である。
【００５１】
制御装置６０において、プロセッサ６１は制御プログラム６３Ａを実行することにより、各種の機能を実現する。以下、ハードウェア資源としてのプロセッサ６１とソフトウェア資源としての制御プログラム６３Ａの協働によって実現される機能構成について説明する。図４は、プロセッサ６１の機能構成を示すブロック図である。
【００５２】
図４に示されるように、制御装置６０において、プロセッサ６１は、制御プログラム６３Ａを実行することにより、取得部６１Ａ、及び運転制御部６１Ｂとして機能する。
【００５３】
取得部６１Ａは、ユーザが操作部３０を通じて入力した各種の指示及び情報を取得する機能部である。本実施形態では、取得部６１Ａは、少なくとも、ユーザが操作部３０を通じて入力した稼働指示、及び設定温度の情報（以下、設定温度情報という）を取得する。また、取得部６１Ａは、室温センサ４０が検出した室温の情報（以下、室温情報をという）を、室温センサ４０から取得する。
【００５４】
運転制御部６１Ｂは、加温部２０の動作（すなわち運転状態）を制御する機能部である。本実施形態では、運転制御部６１Ｂは、取得部６１Ａが取得した指示、及び室温センサ４０の検出結果に基づき、加温部２０の運転モードを選択して、加温部２０を運転する。具体的には、運転制御部６１Ｂは、以下のように、加温部２０の運転状態を制御する。
【００５５】
運転制御部６１Ｂは、取得部６１Ａが稼働指示を取得すると、急熱運転モードにて加温部２０の運転を開始させる。
【００５６】
また、運転制御部６１Ｂは、加温部２０の運転開始後、室温センサ４０が検出した室温における加温部２０の運転開始から予め定められた第一基準時間経過した時の温度上昇幅が、予め定められた基準上昇幅以上である場合に、急熱運転モードから控えめ運転モードへ移行させる制御を加温部２０に対して行う。
【００５７】
なお、第一基準時間は、一例として、１０分とされる。また、基準上昇幅は、一例として、４〜６℃の範囲で設定される。第一基準時間及び基準上昇幅は、予め設定され、第一基準時間及び基準上昇幅の情報は、ストレージ６３に記憶されている。加温部２０の運転開始からの経過時間は、タイマー６４により計測される。
【００５８】
また、運転制御部６１Ｂは、加温部２０の運転開始後、室温センサ４０が検出した室温における前記温度上昇幅が基準上昇幅未満である場合において、第一基準時間の経過時点から予め定められた第二基準時間経過した後に、室温センサ４０が設定温度以上の室温を検出した場合に、急熱運転モードから控えめ運転モードへ移行させる制御を加温部２０に対して行う。なお、「第二基準時間経過した後」には、第二基準時間経過した時点を含む概念である。
【００５９】
なお、第二基準時間は、一例として、１０分とされる。すなわち、第二基準時間と第一基準時間とが、同じ時間とされている。第二基準時間は、予め設定され、第二基準時間の情報は、ストレージ６３に記憶されている。第一基準時間の経過時点からの経過時間は、タイマー６４により計測される。
【００６０】
また、運転制御部６１Ｂは、第一基準時間の経過時点から第二基準時間経過した後に、室温センサ４０が設定温度未満の室温を検出した場合に、第二基準時間の経過時点から第二基準時間が経過する毎に、室温センサ４０が設定温度以上の室温を検出するか判定し、室温センサ４０が設定温度以上の室温を検出した場合に、急熱運転モードから控えめ運転モードへ移行させる制御を加温部２０に対して行う。
【００６１】
換言すれば、運転制御部６１Ｂは、室温センサ４０が設定温度以上の室温を検出せず、室温センサ４０が設定温度未満の室温を検出する間は、控えめ運転を維持する制御を加温部２０に対して行う。
【００６２】
また、運転制御部６１Ｂは、運転開始の急熱運転モードから控えめ運転モードへ移行させた後、予め定められた基準経過時間を経過した場合に、定常運転モードに移行させる。
【００６３】
なお、基準経過時間は、一例として、３０分とされる。基準経過時間は、予め設定され、基準経過時間の情報は、ストレージ６３に記憶されている。運転開始の急熱運転モードから控えめ運転モードへ移行させた後の経過時間は、タイマー６４により計測される。
【００６４】
また、運転制御部６１Ｂは、室温センサ４０が、設定温度を超える室温を検出した後、予め定められた基準期間（以下、基準期間Ａという場合がある）において予め定められた基準回数（以下、基準回数Ａという場合がある）、設定温度を超える室温を検出した場合に、加温熱量を定常運転モードにおける加温熱量から低下させる制御を加温部２０に対して行う。
【００６５】
なお、基準期間Ａは、一例として、１分とされる。基準回数Ａは、一例として、２０回とされる。基準期間Ａ及び基準回数Ａは、予め設定され、基準期間Ａ及び基準回数Ａの情報は、ストレージ６３に記憶されている。室温センサ４０が、設定温度を超える室温を検出した後の経過時間は、タイマー６４により計測される。室温センサ４０が設定温度を超える室温を検出した検出回数は、カウンタ６６により計測される。
【００６６】
また、運転制御部６１Ｂは、加温熱量を定常運転モードにおける加温熱量から低下させた後、室温センサ４０が、設定温度未満の室温を検出した後、予め定められた基準期間（以下、基準期間Ｂという場合がある）において予め定められた基準回数（以下、基準回数Ｂという場合がある）、設定温度未満の室温を検出した場合に、加温熱量を元に戻す制御を加温部２０に対して行う。
【００６７】
なお、基準期間Ｂは、一例として、１分とされる。基準回数Ｂは、一例として、２０回とされる。基準期間Ｂ及び基準回数Ｂは、予め設定され、基準期間Ｂ及び基準回数Ｂの情報は、ストレージ６３に記憶されている。室温センサ４０が、設定温度を超える室温を検出した後の経過時間は、タイマー６４により計測される。室温センサ４０が設定温度を超える室温を検出した検出回数は、カウンタ６６により計測される。
【００６８】
また、運転制御部６１Ｂは、運転開始の急熱運転モードから控えめ運転モードへ移行させた後、室温センサ４０が検出した室温における単位期間あたりの温度低下が予め定められた基準低下幅を超える場合に、急熱運転モードへ移行させる制御を加温部２０に対して行う。
【００６９】
なお、基準低下幅は、一例として、−２．２℃／ｍｉｎとされる。基準低下幅は、予め設定され、基準低下幅の情報は、ストレージ６３に記憶されている。
【００７０】
また、運転制御部６１Ｂは、急熱運転モードへ移行させた後、室温センサ４０が検出した室温における急熱運転モードへの移行から予め定められた第一基準時間経過した時の温度上昇幅が、予め定められた基準上昇幅以上である場合に、急熱運転モードから控えめ運転モードへ移行させる制御を加温部２０に対して行う。
【００７１】
なお、前述の第一基準時間、基準上昇幅、第二基準時間、基準経過時間、基準期間Ａ、基準回数Ａ、基準期間Ｂ、基準回数Ｂ及び基準低下幅等は、ユーザが操作部３０を通じて設定変更可能な構成であってもよい。
【００７２】
（本実施形態に係る制御処理）
次に、本実施形態に係る制御処理の一例について説明する。本実施形態では、一例として、床暖房装置１０の運転開始の際に実行される運転開始制御処理と、床暖房装置１０の定常運転の際に実行される定常運転制御処理と、運転開始制御処理及び定常運転制御処理とは別個に実行される換気検知処理と、が行われる。
【００７３】
図５は、制御装置６０によって実行される運転開始制御処理の流れの一例を示すフローチャートである。図６は、制御装置６０によって実行される定常運転制御処理の流れの一例を示すフローチャートである。図７は、制御装置６０によって実行される換気検知制御処理の流れの一例を示すフローチャートである。
【００７４】
運転開始制御処理、定常運転制御処理、及び換気検知処理は、プロセッサ６１が、ストレージ６３から制御プログラム６３Ａを読み出し、協働して実行することにより行なわれる。
【００７５】
（運転開始制御処理）
運転開始制御処理は、一例として、操作部３０を通じて、床暖房装置１０のオン操作が行われることで、実行が開始される。なお、床暖房装置１０のオン操作の際には、例えば、所望の室温として、設定温度の入力が、操作部３０を通じて行われる。
【００７６】
プロセッサ６１は、図５に示されるように、急熱運転モードにて加温部２０の運転を開始させる（ステップＳ１０２）。
【００７７】
次に、プロセッサ６１は、加温部２０の運転を開始してから第一基準時間（例えば、１０分間）が経過したか否かを判定する（ステップＳ１０４）。
【００７８】
プロセッサ６１は、第一基準時間が経過したと判定した場合に（ステップＳ１０４：ＹＥＳ）、ステップＳ１０６へ進む。一方、プロセッサ６１は、第一基準時間が経過していないと判定した場合には（ステップＳ１０４：ＮＯ）、再度、ステップＳ１０４を行う。すなわち、プロセッサ６１は、第一基準時間を経過するまで、ステップＳ１０４を繰り返す。
【００７９】
ステップＳ１０６では、プロセッサ６１は、室温センサ４０が検出した室温における加温部２０の運転開始から第一基準時間（例えば、１０分間）経過した時の温度上昇幅が、基準上昇幅（例えば、４〜６℃の範囲で設定された温度）以上であるか否かを判定する。
【００８０】
プロセッサ６１は、当該温度上昇幅が、基準上昇幅以上であると判定した場合に（ステップＳ１０６：ＹＥＳ）、空調機１００が運転中であると判定し（ステップＳ１０８）、加温部２０の運転モードを急熱運転モードから控えめ運転モードへ移行させ（ステップＳ１１０）、ステップＳ１１６へ進む。
【００８１】
一方、プロセッサ６１は、当該温度上昇幅が、基準上昇幅未満であると判定した場合に（ステップＳ１０６：ＮＯ）、ステップＳ１１２へ進む。ステップＳ１１２では、第一基準時間の経過時点から第二基準時間（例えば、１０分間）が経過したか否かを判定する。
【００８２】
プロセッサ６１は、第二基準時間が経過したと判定した場合に（ステップＳ１１２：ＹＥＳ）、ステップＳ１１４へ進む。一方、プロセッサ６１は、第二基準時間が経過していないと判定した場合には（ステップＳ１１２：ＮＯ）、再度、ステップＳ１１２を行う。すなわち、プロセッサ６１は、第二基準時間を経過するまで、ステップＳ１１２を繰り返す。
【００８３】
ステップＳ１１４では、プロセッサ６１は、室温センサ４０が設定温度以上の室温を検出したか否かを判定する。
【００８４】
プロセッサ６１は、室温センサ４０が設定温度以上の室温を検出したと判定した場合に（ステップＳ１１４：ＹＥＳ）、空調機１００が運転中であると判定し（ステップＳ１０８）、加温部２０の運転モードを急熱運転モードから控えめ運転モードへ移行させ（ステップＳ１１０）、ステップＳ１１６へ進む。
【００８５】
一方、プロセッサ６１は、室温センサ４０が設定温度未満の室温を検出したと判定した場合には（ステップＳ１１４：ＮＯ）、ステップＳ１１２へ戻る。
【００８６】
ステップＳ１１６では、プロセッサ６１は、控えめ運転モードへ移行した時点から基準経過時間（例えば、３０分間）が経過したか否かを判定する。
【００８７】
プロセッサ６１は、基準経過時間が経過したと判定した場合に（ステップＳ１１６：ＹＥＳ）、加温部２０の運転モードを控えめ運転モードから定常運転モードへ移行させ（ステップＳ１１８）、本処理を終了する。
【００８８】
一方、プロセッサ６１は、基準経過時間が経過していないと判定した場合には（ステップＳ１１６：ＮＯ）、再度、ステップＳ１１６を行う。すなわち、プロセッサ６１は、基準経過時間を経過するまで、ステップＳ１１６を繰り返す。
【００８９】
なお、運転開始制御処理では、操作部３０を通じて、床暖房装置１０のオフ操作が行われた場合に、いずれのステップを実行しているかに関わらず、本処理を終了する。
【００９０】
（定常運転制御処理）
定常運転制御処理は、加温部２０が定常運転モードへ移行して、運転開始制御処理が終了した後に実行が開始される。したがって、定常運転制御処理は、運転開始制御処理と直列に実行され、定常運転制御処理及び運転開始制御処理の一方が実行されている場合には他方が実行されない。
【００９１】
プロセッサ６１は、図６に示されるように、室温センサ４０が設定温度を超える室温を検出したか否かを判定する（ステップＳ２０２）。具体的には、プロセッサ６１は、例えば、設定温度よりも２．２℃超の室温を検出したか否かを判定する。
【００９２】
プロセッサ６１は、室温センサ４０が設定温度を超える室温を検出したと判定した場合に（ステップＳ２０２：ＹＥＳ）、ステップＳ２０４へ移行する。
【００９３】
一方、プロセッサ６１は、室温センサ４０が設定温度を超える室温を検出していないと判定した場合には（ステップＳ２０２：ＮＯ）、再度、ステップＳ２０２を行う。すなわち、プロセッサ６１は、室温センサ４０が設定温度を超える室温を検出するまで、ステップＳ２０２を繰り返す。
【００９４】
ステップＳ２０４では、プロセッサ６１は、室温センサ４０が設定温度を超える室温を検出してから基準期間（例えば、１分間）が経過したか否かを判定する。
【００９５】
プロセッサ６１は、基準期間が経過したと判定した場合に（ステップＳ２０４：ＹＥＳ）、ステップＳ２０６へ進む。一方、プロセッサ６１は、基準期間が経過していないと判定した場合には（ステップＳ２０４：ＮＯ）、再度、ステップＳ２０４を行う。すなわち、プロセッサ６１は、基準期間を経過するまで、ステップＳ２０４を繰り返す。
【００９６】
ステップＳ２０６では、プロセッサ６１は、基準期間において予め定められた基準回数、室温センサ４０が設定温度を超える室温を検出したか否かを判定する（ステップＳ２０６）。
【００９７】
プロセッサ６１は、基準期間において、基準回数、室温センサ４０が設定温度を超える室温を検出したと判定した場合に（ステップＳ２０６：ＹＥＳ）、空調機１００が運転中であると判定し（ステップＳ２０８）、加温熱量を定常運転モードにおける加温熱量から、例えば１段階低下させ（ステップＳ２１０）、ステップＳ２１２へ進む。
【００９８】
一方、プロセッサ６１は、基準期間において、基準回数、室温センサ４０が設定温度を超える室温を検出していないと判定した場合には（ステップＳ２０６：ＮＯ）、ステップＳ２０２へ戻る。
【００９９】
ステップＳ２１２では、プロセッサ６１は、加温熱量を定常運転モードにおける加温熱量から低下させてから基準経過時間（例えば、３０分間）が経過したか否かを判定する。
【０１００】
プロセッサ６１は、基準経過時間が経過したと判定した場合に（ステップＳ２１２：ＹＥＳ）、ステップＳ２１４へ進む。
【０１０１】
一方、プロセッサ６１は、基準経過時間が経過していないと判定した場合には（ステップＳ２１２：ＮＯ）、再度、ステップＳ２１２を行う。すなわち、プロセッサ６１は、基準経過時間を経過するまで、ステップＳ２１２を繰り返す。
【０１０２】
ステップＳ２１４では、プロセッサ６１は、室温センサ４０が設定温度を超える室温を検出したか否かを判定する。具体的には、プロセッサ６１は、例えば、設定温度よりも２．２℃超の室温を検出したか否かを判定する。
【０１０３】
プロセッサ６１は、室温センサ４０が設定温度を超える室温を検出したと判定した場合に（ステップＳ２１４：ＹＥＳ）、ステップＳ２１６へ移行する。
【０１０４】
一方、プロセッサ６１は、室温センサ４０が設定温度を超える室温を検出していないと判定した場合には（ステップＳ２１４：ＮＯ）、ステップＳ２４０へ移行する。
【０１０５】
ステップＳ２４０では、プロセッサ６１は、室温センサ４０が設定温度未満の室温を検出したか否かを判定する。
【０１０６】
プロセッサ６１は、室温センサ４０が設定温度未満の室温を検出したと判定した場合に（ステップＳ２４０：ＹＥＳ）、ステップＳ２４２へ移行する。
【０１０７】
一方、プロセッサ６１は、室温センサ４０が設定温度未満の室温を検出していないと判定した場合には（ステップＳ２４０：ＮＯ）、ステップＳ２１２へ戻る。
【０１０８】
ステップＳ２４２では、プロセッサ６１は、室温センサ４０が設定温度未満の室温を検出してから基準期間（例えば、１分間）が経過したか否かを判定する。
【０１０９】
プロセッサ６１は、基準期間が経過したと判定した場合に（ステップＳ２４２：ＹＥＳ）、ステップＳ２４４へ進む。一方、プロセッサ６１は、基準期間が経過していないと判定した場合には（ステップＳ２４２：ＮＯ）、再度、ステップＳ２４２を行う。すなわち、プロセッサ６１は、基準期間を経過するまで、ステップＳ２４２を繰り返す。
【０１１０】
ステップＳ２４４では、プロセッサ６１は、基準期間において予め定められた基準回数、室温センサ４０が設定温度未満の室温を検出したか否かを判定する。
【０１１１】
プロセッサ６１は、基準期間において、基準回数、室温センサ４０が設定温度未満の室温を検出したと判定した場合に（ステップＳ２４４：ＹＥＳ）、定常運転モードに戻し（ステップＳ２４６）、ステップＳ２０２に戻る。すなわち、ステップＳ２４６では、プロセッサ６１は、加温部２０の加温熱量を定常運転モードにおける加温熱量に戻す。なお、ステップＳ２４６では、加温部２０の加温熱量を１段階のみ戻す（上げる）構成であってもよい。
【０１１２】
ステップＳ２１６では、プロセッサ６１は、室温センサ４０が設定温度を超える室温を検出してから基準期間（例えば、１分間）が経過したか否かを判定する。
【０１１３】
プロセッサ６１は、基準期間が経過したと判定した場合に（ステップＳ２１６：ＹＥＳ）、ステップＳ２１８へ進む。一方、プロセッサ６１は、基準期間が経過していないと判定した場合には（ステップＳ２１６：ＮＯ）、再度、ステップＳ２１６を行う。すなわち、プロセッサ６１は、基準期間を経過するまで、ステップＳ２１６を繰り返す。
【０１１４】
ステップＳ２１８では、プロセッサ６１は、基準期間において予め定められた基準回数、室温センサ４０が設定温度を超える室温を検出したか否かを判定する（ステップＳ２１８）。
【０１１５】
プロセッサ６１は、基準期間において、基準回数、室温センサ４０が設定温度を超える室温を検出したと判定した場合に（ステップＳ２１８：ＹＥＳ）、空調機１００が運転中であると判定し（ステップＳ２２０）、加温部２０の加温熱量をさらに低下させ（ステップＳ２２２）、ステップＳ２２４へ進む。
【０１１６】
一方、プロセッサ６１は、基準期間において、基準回数、室温センサ４０が設定温度を超える室温を検出していないと判定した場合には（ステップＳ２１８：ＮＯ）、ステップＳ２１２へ戻る。
【０１１７】
ステップＳ２２４では、プロセッサ６１は、加温部２０の加温熱量が、最低熱量であるか否か判定する。最低熱量とは、加温部２０において用いることが可能な加温熱量のうち、最も低い加温熱量である。
【０１１８】
プロセッサ６１は、加温部２０の加温熱量が、最低熱量であると判定した場合には（ステップＳ２２４：ＹＥＳ）、ステップＳ２２６へ進む。
【０１１９】
一方、プロセッサ６１は、加温部２０の加温熱量が、最低熱量ではないと判定した場合には（ステップＳ２２４：ＮＯ）、ステップＳ２１２へ戻る。
【０１２０】
ステップＳ２２６では、プロセッサ６１は、加温熱量を最低熱量に低下させてから基準経過時間（例えば、３０分間）が経過したか否かを判定する。
【０１２１】
プロセッサ６１は、基準経過時間が経過したと判定した場合に（ステップＳ２２６：ＹＥＳ）、ステップＳ２２８へ進む。
【０１２２】
一方、プロセッサ６１は、基準経過時間が経過していないと判定した場合には（ステップＳ２２６：ＮＯ）、再度、ステップＳ２２６を行う。すなわち、プロセッサ６１は、基準経過時間を経過するまで、ステップＳ２２６を繰り返す。
【０１２３】
ステップＳ２２８では、プロセッサ６１は、室温センサ４０が設定温度未満の室温を検出したか否かを判定する。
【０１２４】
プロセッサ６１は、室温センサ４０が設定温度未満の室温を検出したと判定した場合に（ステップＳ２２８：ＹＥＳ）、ステップＳ２３０へ移行する。
【０１２５】
一方、プロセッサ６１は、室温センサ４０が設定温度未満の室温を検出していないと判定した場合には（ステップＳ２２８：ＮＯ）、ステップＳ２２６へ戻る。
【０１２６】
ステップＳ２３０では、プロセッサ６１は、室温センサ４０が設定温度未満の室温を検出してから基準期間（例えば、１分間）が経過したか否かを判定する。
【０１２７】
プロセッサ６１は、基準期間が経過したと判定した場合に（ステップＳ２３０：ＹＥＳ）、ステップＳ２３２へ進む。一方、プロセッサ６１は、基準期間が経過していないと判定した場合には（ステップＳ２３０：ＮＯ）、再度、ステップＳ２３０を行う。すなわち、プロセッサ６１は、基準期間を経過するまで、ステップＳ２３０を繰り返す。
【０１２８】
ステップＳ２３２では、プロセッサ６１は、基準期間において予め定められた基準回数、室温センサ４０が設定温度未満の室温を検出したか否かを判定する。
【０１２９】
プロセッサ６１は、基準期間において、基準回数、室温センサ４０が設定温度未満の室温を検出したと判定した場合に（ステップＳ２３２：ＹＥＳ）、定常運転モードに戻し（ステップＳ２３４）、ステップＳ２０２に戻る。すなわち、ステップＳ２３４では、プロセッサ６１は、加温部２０の加温熱量を定常運転モードにおける加温熱量に戻す。
【０１３０】
なお、定常運転制御処理では、操作部３０を通じて、床暖房装置１０のオフ操作が行われた場合に、いずれのステップを実行しているかに関わらず、本処理を終了する。
【０１３１】
（換気検知処理）
換気検知処理は、例えば、床暖房装置１０が設置された部屋において、窓開け等による換気によって生じる温度低下を検知し、加温部２０の運転モードを制御するための処理である。換気検知処理は、例えば、加温部２０が控えめ運転モードへ移行することで（ステップＳ１１０）、実行が開始され、運転開始制御処理及び定常運転制御処理の一方と並列に実行される。
【０１３２】
プロセッサ６１は、図７に示されるように、室温センサ４０が検出した室温における単位期間あたりの温度低下が予め定められた基準低下幅を超えるか否かを判定する（ステップＳ３０２）。具体的には、ステップＳ３０２において、プロセッサ６１は、室温センサ４０にて、例えば、−２．２℃／ｍｉｎの室温を検出する否かを判定する。
【０１３３】
プロセッサ６１は、室温センサ４０が検出した室温における単位期間あたりの温度低下が予め定められた基準低下幅を超える場合には（ステップＳ３０２：ＹＥＳ）、換気検知処理と並列に実行される運転開始制御処理又は定常運転制御処理において、加温部２０の運転モードを、ステップＳ１０２における急熱運転モードへ移行させる（ステップＳ３０４）。すなわち、プロセッサ６１は、換気検知処理と並列に運転開始制御処理を実行している場合には、ステップＳ１０２に戻る。プロセッサ６１は、換気検知処理と並列に定常運転制御処理を実行している場合には、定常運転制御処理の実行を終了し、運転開始制御処理の実行を開始する。プロセッサ６１は、ステップＳ３０２を実行すると、本処理を終了する。
【０１３４】
プロセッサ６１は、室温センサ４０が検出した室温における単位期間あたりの温度低下が予め定められた基準低下幅を超えない場合には（ステップＳ３０２：ＮＯ）、再度、ステップＳ３０２を行う。すなわち、プロセッサ６１は、室温センサ４０が検出した室温における単位期間あたりの温度低下が予め定められた基準低下幅を超えるまで、ステップＳ３０２を繰り返す。
【０１３５】
なお、換気検知処理は、操作部３０を通じて、床暖房装置１０のオフ操作が行われた場合に、いずれのステップを実行しているかに関わらず、本処理を終了する。
【０１３６】
（本実施形態に係る作用効果）
以上のように、本実施形態に係る床暖房装置１０では、プロセッサ６１は、加温部２０の運転開始後、室温センサ４０が検出した室温における加温部２０の運転開始から予め定められた第一基準時間経過した時の温度上昇幅が、予め定められた基準上昇幅以上である場合に、急熱運転モードから控えめ運転モードへ移行させる制御を加温部２０に対して行う（ステップＳ１０４：ＹＥＳ、ステップＳ１０６：ＹＥＳ、Ｓ１０８、Ｓ１１０参照）。
【０１３７】
このため、当該温度上昇幅が基準上昇幅以上である場合において、急熱運転モードを継続する構成に比べ、床暖房装置１０と空調機１００とが併用して運転されている場合であっても、室温が床暖房装置１０の設定温度を超えて上昇することが抑制される。
【０１３８】
また、床暖房装置１０では、プロセッサ６１は、加温部２０の運転開始後、室温センサ４０が検出した室温における前記温度上昇幅が基準上昇幅未満である場合において、第一基準時間の経過時点から予め定められた第二基準時間経過した後に、室温センサ４０が設定温度以上の室温を検出した場合に、急熱運転モードから控えめ運転モードへ移行させる制御を加温部２０に対して行う（ステップＳ１０６：ＮＯ、ステップＳ１１２：ＹＥＳ、ステップＳ１１４：ＹＥＳ、Ｓ１０８、Ｓ１１０参照）。
【０１３９】
このため、当該温度上昇幅が前記基準上昇幅未満である場合に、常に、急熱運転モードを継続する構成に比べ、床暖房装置１０と空調機１００とが併用して運転されている場合であっても、室温が床暖房装置１０の設定温度を超えて上昇することが抑制される。
【０１４０】
また、床暖房装置１０では、プロセッサ６１は、第一基準時間の経過時点から第二基準時間経過した後に、室温センサ４０が設定温度未満の室温を検出した場合に、第二基準時間の経過時点から第二基準時間が経過する毎に、室温センサ４０が設定温度以上の室温を検出するか判定し、室温センサ４０が設定温度以上の室温を検出した場合に、急熱運転モードから控えめ運転モードへ移行させる制御を加温部２０に対して行う（ステップＳ１１４：ＮＯ、ステップＳ１１２：ＹＥＳ、ステップＳ１１４：ＹＥＳ、Ｓ１０８、Ｓ１１０参照）。
【０１４１】
このため、第一基準時間の経過時点から第二基準時間経過した後に、室温センサ４０が設定温度未満の室温を検出した場合に、常に、急熱運転モードを継続する構成に比べ、床暖房装置１０と空調機１００とが併用して運転されている場合であっても、室温が床暖房装置１０の設定温度を超えて上昇することが抑制される。
【０１４２】
また、床暖房装置１０では、プロセッサ６１は、室温センサ４０が、設定温度を超える室温を検出した後、基準期間において基準回数、設定温度を超える室温を検出した場合に、加温熱量を定常運転モードにおける加温熱量からを低下させる制御を加温部２０に対して行う（ステップＳ２０２：ＹＥＳ、ステップＳ２０４：ＹＥＳ、ステップＳ２０６：ＹＥＳ、Ｓ２０８、Ｓ２１０参照、ステップＳ２１４：ＹＥＳ、ステップＳ２１６：ＹＥＳ、ステップＳ２１８：ＹＥＳ、Ｓ２２０、Ｓ２２２参照）。
【０１４３】
このため、室温センサ４０が、設定温度を超える室温を検出した後、基準期間において基準回数、設定温度を超える室温を検出した場合に、定常運転モードを継続する構成に比べ、床暖房装置１０と空調機１００とが併用して運転されている場合であっても、室温が床暖房装置１０の設定温度を超えて上昇することが抑制される。
【０１４４】
また、床暖房装置１０では、プロセッサ６１は、加温熱量を定常運転モードにおける加温熱量から低下させた後、室温センサ４０が、設定温度未満の室温を検出した後、基準期間において基準回数、設定温度未満の室温を検出した場合に、加温熱量を元に戻す制御を加温部２０に対して行う（ステップＳ２４０：ＹＥＳ、ステップＳ２４２：ＹＥＳ、ステップＳ２４４：ＹＥＳ、Ｓ２４６参照）。
【０１４５】
このため、室温センサ４０が、設定温度未満の室温を検出した後、基準期間において基準回数、設定温度未満の室温を検出した場合に、加温熱量を低下させた状態を維持する構成に比べ、床暖房装置１０と併用運転されていた空調機１００の運転が停止された場合であっても、室温が床暖房装置１０の設定温度を下回って低下することが抑制される。
【０１４６】
また、床暖房装置１０では、プロセッサ６１は、運転開始の急熱運転モードから控えめ運転モードへ移行させた後、室温センサ４０が検出した室温における単位期間あたりの温度低下が予め定められた基準低下幅を超える場合に、急熱運転モードへ移行させる制御を加温部２０に対して行う（ステップＳ３０２：ＹＥＳ、ステップＳ３０４参照）。
【０１４７】
このため、室温センサ４０が検出した室温における単位期間あたりの温度低下が予め定められた基準低下幅を超える場合に、現状の運転モードを維持する構成に比べ、例えば、窓開け等による換気によって急激な温度低下が生じた場合であっても、室温が床暖房装置１０の設定温度を下回って低下することが抑制される。
【０１４８】
また、床暖房装置１０では、プロセッサ６１は、急熱運転モードへ移行させた後、室温センサ４０が検出した室温における前記温度上昇幅が基準上昇幅未満である場合において、第一基準時間の経過時点から予め定められた第二基準時間経過した後に、室温センサ４０が設定温度以上の室温を検出した場合に、急熱運転モードから控えめ運転モードへ移行させる制御を加温部２０に対して行う（ステップＳ１０６：ＹＥＳ、Ｓ１０８、Ｓ１１０参照）。
【０１４９】
このため、当該温度上昇幅が基準上昇幅以上である場合において、急熱運転モードを継続する構成に比べ、床暖房装置１０と空調機１００とが併用して運転されている場合であっても、室温が床暖房装置１０の設定温度を超えて上昇することが抑制される。
【０１５０】
（定常運転制御処理の変形例）
定常運転制御処理としては、図８に示されるフローにて処理を行ってもよい。以下、定常運転制御処理の変形例として、図８に示されるフローについて説明する。なお、図６に示されるフローと同じ部分には、同一の符号を付して、説明を適宜省略する。
定常運転制御処理の変形例では、図８に示されるように、ステップＳ２２４では、プロセッサ６１は、加温部２０の加温熱量が、最低熱量であるか否か判定する。最低熱量とは、加温部２０において用いることが可能な加温熱量のうち、最も低い加温熱量である。
【０１５１】
プロセッサ６１は、加温部２０の加温熱量が、最低熱量であると判定した場合には（ステップＳ２２４：ＹＥＳ）、ステップＳ４０２へ進む。
【０１５２】
一方、プロセッサ６１は、加温部２０の加温熱量が、最低熱量ではないと判定した場合には（ステップＳ２２４：ＮＯ）、ステップＳ２１２へ戻る。
【０１５３】
ステップＳ４０２では、プロセッサ６１は、加温熱量を最低熱量に低下させてから基準経過時間（例えば、３０分間）が経過したか否かを判定する。
【０１５４】
プロセッサ６１は、基準経過時間が経過したと判定した場合に（ステップＳ４０２：ＹＥＳ）、ステップＳ４０４へ進む。
【０１５５】
一方、プロセッサ６１は、基準経過時間が経過していないと判定した場合には（ステップＳ４０２：ＮＯ）、再度、ステップＳ４０２を行う。すなわち、プロセッサ６１は、基準経過時間を経過するまで、ステップＳ４０２を繰り返す。
【０１５６】
ステップＳ４０４では、プロセッサ６１は、室温センサ４０が検出した室温における単位期間あたりの温度低下が予め定められた基準低下幅を超えるか否かを判定する。具体的には、ステップＳ３４０４において、プロセッサ６１は、室温センサ４０にて、例えば、−２．２℃／ｍｉｎの室温を検出する否かを判定する。
【０１５７】
プロセッサ６１は、室温センサ４０が検出した室温における単位期間あたりの温度低下が予め定められた基準低下幅を超える場合には（ステップＳ４０４：ＹＥＳ）、加温部２０の加温熱量を上昇させ（ステップＳ４０６）、ステップＳ４０２へ戻る。ステップＳ４０６では、プロセッサ６１は、例えば、加温部２０の加温熱量を１段階上昇させる。さらに言えば、プロセッサ６１は、ステップＳ４０６において、例えば、ステップＳ２２２にて低下させた分を上昇させる。
【０１５８】
一方、プロセッサ６１は、室温センサ４０が検出した室温における単位期間あたりの温度低下が予め定められた基準低下幅を超えない場合には（ステップＳ４０４：ＮＯ）、ステップＳ２２４へ戻る。
【０１５９】
（空調機１００の変形例）
本実施形態では、他の暖房装置の一例として、空調機１００が室内１０４に設置されていたが、これに限られない。他の暖房装置の一例としては、パネルヒータ、ガスファンヒータ、及びオイルヒータ等であってもよく、種々の暖房装置を用いることができる。
【０１６０】
（加温部２０の変形例）
本実施形態では、加温部２０は、循環管２６で循環する温水の加熱温度及び流量を変更することで、床材１０２の加温熱量を複数段階に調整可能とされていたが、これに限られない。例えば、加温部２０は、循環管２６で循環する温水の加熱温度及び流量の一方を変更することで、床材１０２の加温熱量を複数段階に調整する構成であってもよいし、温水の加熱温度及び流量に加えて又は替えて、その他の条件によって、床材１０２の加温熱量を複数段階に調整する構成であってもよい。
【０１６１】
本実施形態では、加温部２０は、温水式であったが、これに限られない。加温部２０としては、電気式のものであってもよい。電気式の加温部では、例えば、床材１０２の下方側に配置した発熱体を通電により加温する構成が考えられる。この構成では、例えば、発熱体へ通電させる電力によって、床材１０２の加温熱量を複数段階に調整する構成とすることができる。
【０１６２】
本発明は、上記の実施形態に限るものではなく、その主旨を逸脱しない範囲内において種々の変形、変更、改良が可能である。
【符号の説明】
【０１６３】
１０   床暖房装置
２０   加温部
２２   床パネル
２４   加熱機
２６   循環管
３０   操作部
４０   室温センサ（検出部の一例）
６０   制御装置（制御部の一例）
６１   プロセッサ
６１Ａ 取得部
６１Ｂ 運転制御部
６２   メモリ
６３   ストレージ
６３Ａ 制御プログラム
６４   タイマー
６６   カウンタ
１００ 空調機（他の暖房装置の一例）
１０２ 床材
１０４ 室内
１０６ 壁面
１０６ 床面
１０８ 天井
１０９ 側壁
１１０ 側壁
【要約】
【課題】床暖房装置と他の暖房装置とが併用して運転されている場合であっても、室温が床暖房装置の設定温度を超えて上昇することを抑制する。
【解決手段】床暖房装置は、室温を検出する検出部と、床材を加温する加温部であって、定常運転モードと、前記定常運転モードよりも前記床材を加温する加温熱量が多い第一運転モードと、前記定常運転モードよりも前記床材を加温する加温熱量が少ない第二運転モードと、を有する加温部と、前記第一運転モードにて前記加温部の運転を開始させ、前記検出部が検出した室温における前記加温部の運転開始から予め定められた基準時間経過した時の温度上昇幅が、予め定められた基準上昇幅以上である場合に、前記第一運転モードから前記第二運転モードへ移行させる制御を前記加温部に対して行う制御部と、を備える。
【選択図】図１【図１】
0006971425.tif 000002
【図２】
0006971425.tif 000003
【図３】
0006971425.tif 000004
【図４】
0006971425.tif 000005
【図５】
0006971425.tif 000006
【図６】
0006971425.tif 000007
【図７】
0006971425.tif 000008
【図８】
0006971425.tif 000009